(57)【要約】【課題】映り込みを抑制した映像を記録できる車両用記録装置を提供すること。【解決手段】本発明の一実施形態にかかる車両用記録装置１０は、本体部１１には少なくともカメラ１４が備えられ、取付部１８はカメラ１４がウィンドシールド５００を介して車両１の外部を撮影する向きとなるように車両１に対して本体部１１を取り付け、情報を表示する表示部１２は、本体部１１の下方において回動可能に取り付けられており、カメラ１４の撮影方向に回動して表示部１２の表示面１２１が下方を向いた第一の配置となったときは、カメラ１４の下方からの光を遮る位置となることを特徴とする。【選択図】図４
2018084950.tif 000002
【特許請求の範囲】
【請求項１】
少なくともカメラを備えた本体部と、
前記カメラが、車両に備えられているウィンドシールドを介して前記車両の外部を撮影する向きとなるように、前記本体部を取り付ける取付部と、
情報を表示する表示部と、を備え、
前記表示部は、前記本体部の下方において回動可能に取り付けられており、前記カメラの撮影方向に回動して前記表示部の表示面が下方を向いた第一の配置となったときは、前記カメラの下方からの光を遮る位置となることを特徴とする、車両用記録装置。
【請求項２】
前記カメラにより撮影された映像データを記憶部に記録させる撮影動作の制御を行う撮影制御部をさらに備え、
前記撮影制御部は、前記表示部が第一の配置となったとき、撮影動作を開始させる、
請求項１に記載の車両用記録装置。
【請求項３】
前記撮影制御部は、前記表示部が前記表示部が表示面をユーザが目視可能な方向に向けた第二の配置が所定時間維持された後に第一の配置となったときは、前記カメラにより撮影された映像データを前記記憶部に上書き可能に記録し、前記表示部が収納状態である第三の配置から所定時間以内に第二の配置を経て第一の配置となったときは、前記カメラにより撮影された映像データを前記記憶部に上書き禁止に記録する、
請求項２に記載の車両用記録装置。
【請求項４】
前記記憶部に記録された映像データの再生動作の制御を行う再生制御部をさらに備え、
前記再生制御部は、前記表示部が表示面をユーザが目視可能な方向に向けた第二の配置となったときに再生動作を可能とする、
請求項２または３に記載の車両用記録装置。
【請求項５】
前記再生制御部は、前記表示部が収納状態である第三の配置から第二の配置となったときは、前記記憶部に記録されている任意の映像データの再生動作を可能とし、前記表示部が第一の配置から第二の配置となったときは、前記記憶部に記録されている直近の映像データの再生動作を行う、
請求項４に記載の車両用記録装置。
【請求項６】
前記再生制御部は、前記表示部が第一の配置から第二の配置となったときは、前記記憶部に記録されている直近の上書き禁止に記録されている映像データの再生動作を行う、
請求項５に記載の車両用記録装置。
【請求項７】
前記表示部を前記ウィンドシールドに近接させるスライド部をさらに備える、
請求項１から６のいずれか１項に記載の車両用記録装置。
【請求項８】
前記表示部は、前記表示面の裏面が光吸収面である、
請求項１から７のいずれか１項に記載の車両用記録装置。
【請求項９】
前記表示部は、前記カメラの撮影方向に回動して前記表示部の表示面が下方を向くとともに、前記カメラの撮影範囲に入らない位置を前記第一の配置として設定されている、
請求項１から８のいずれか１項に記載の車両用記録装置。
【発明の詳細な説明】
【技術分野】
【０００１】
本発明は、車両用記録装置に関し、特に詳しくは、車両において用いられるドライブレコーダなど、車両に関する映像を記録する車両用記録装置に関する。
【背景技術】
【０００２】
近年、車両用記録装置としてドライブレコーダの普及が拡大している。一般的なドライブレコーダは、車両のウインドシールドの上方にブラケット等を介して取り付けられる。例えば、特許文献１には、取付用ブラケットを用いて車両のウィンドシールドに貼付けて用いるドライブレコーダが開示されている。
【先行技術文献】
【特許文献】
【０００３】
【特許文献１】特開２００６−１２７４７０号公報
【発明の概要】
【発明が解決しようとする課題】
【０００４】
上述の特許文献１のドライブレコーダなど多くのドライブレコーダは、車両のウィンドシールドを介して車両外部を撮影するため、ウィンドシールドに近接して設置される。車両のウィンドシールドの多くは傾斜して設置されているため、車内や車外からの光が傾斜したウィンドシールドで反射して、ドライブレコーダの下方に位置するダッシュボードや周辺の物体などがドライブレコーダに映り込んでしまう。
このような映り込みは、昼間の太陽光が入射した場合や、夜間の街灯光が入射した場合に顕著である。
ドライブレコーダに記録された映像に、上記のような映り込みが含まれる場合、記録した映像の品質を低下させる。
【０００５】
本発明は、上記問題に鑑み、映り込みを抑制した映像を記録できる、車両用記録装置を提供することを目的とする。
【課題を解決するための手段】
【０００６】
本発明の一態様にかかる車両用記録装置は、少なくともカメラを備えた本体部と、  前記カメラが、車両に備えられているウィンドシールドを介して前記車両の水平方向を含む範囲を撮影する向きとなるように、前記本体部を取り付ける取付部と、情報を表示する表示部と、を備え、前記表示部は、前記本体部の下方において回動可能に取り付けられており、前記カメラの撮影方向に回動して前記表示部の表示面が下方を向いた第一の配置となったときは、前記カメラの下方からの光を遮る位置となることを特徴とする。
【発明の効果】
【０００７】
本発明によれば、映り込みを抑制した映像を記録できる、車両用記録装置を提供することができる。
【図面の簡単な説明】
【０００８】
【図１】本発明の車両用記録装置の車両における設置例を模式的に示した図である。
【図２】本発明の第１実施形態にかかる車両用記録装置の状態例および構成を模式的に示した図である。
【図３】本発明の第１実施形態にかかる車両用記録装置の構成を示すブロック図である。
【図４】本発明の第１実施形態にかかる車両用記録装置の状態例を模式的に示した図である。
【図５】本発明の第１実施形態にかかる車両用記録装置の状態例を模式的に示した図である。
【図６】本発明の第１実施形態にかかる車両用記録装置の処理を示したフローチャートである。
【図７】本発明の第２実施形態にかかる車両用記録装置の状態例を模式的に示した図である。
【図８】本発明の第３実施形態にかかる車両用記録装置の状態例を模式的に示した図である。
【図９】本発明の第４実施形態にかかる車両用記録装置の状態例を模式的に示した図である。
【図１０】本発明の第４実施形態にかかる車両用記録装置の状態例を模式的に示した図である。
【図１１】本発明の第４実施形態にかかる車両用記録装置の状態例を模式的に示した図である。
【発明を実施するための形態】
【０００９】
以下、図面を参照して、本発明の実施の形態について説明する。なお、以下の説明では、本実施の形態にかかる車両用記録装置の例として衝撃等のイベントを検出して記録するドライブレコーダとして適用する例について説明するが、本発明はこれに限られるものではない。例えば、車両用記録装置は、ドライブレコーダ以外に、ユーザの要求に応じて記録再生を行う装置であってもよい。
【００１０】
また、本実施の形態にかかる車両用記録装置は、自動車のウィンドシールドに取り付けられて利用される形態として説明するが、取り付け位置や取り付け対象もこれらに限定されない。例えば、自動車のインナーミラーや天井部に取り付けられる形態や、自動車以外に作業用機器、二輪車などに取り付けられてもよい。
【００１１】
図１は、本発明の第１実施形態にかかる車両用記録装置１０の車両１に対する設置例を模式的に示した図である。車両１の構成は省略して記載しており、天井部３００、ダッシュボード４００およびウィンドシールド５００のみを記載している。車両用記録装置１０は、傾斜したウィンドシールド５００に対して、紙面右側である車室内側に設置されている。日本においては、ドライブレコーダである車両用記録装置１０をウィンドシールド５００の上方に貼付けて設置する場合、ウィンドシールド５００の上端から２０％以内に設置することが義務付けられている。ウィンドシールド５００および車両用記録装置１０の下方には、ダッシュボード４００が存在する。
【００１２】
図１においては、紙面左方向が車両１の前方であり、且つ車両用記録装置１０の撮影方向でもある。車両用記録装置１０は、ウィンドシールド５００を介して車外の映像を記録する。
【００１３】
図２は、本発明の第１実施形態にかかる車両用記録装置１０の状態例および構成を模式的に示した図である。車両用記録装置１０は取付部１８を用いて撮影方向が少なくとも水平面を含むようにウィンドシールド５００に取り付けられている。取付部１８は例えば両面テープ等でウィンドシールド５００に貼付けられている。車両用記録装置１０は、本体部１１、表示部１２、回動部１３、カメラ１４および制御部１５を少なくとも備える。取付部１８と本体部１１との間の角度は調整可能であってもよい。
【００１４】
図２に示す車両用記録装置１０の設置状態は、本発明で言う第三の配置である。第三の配置とは、表示部１２が裏面１２２を下方に向けて本体部１１に対向している状態であり、いわゆる収納状態である。表示部１２は、回動部１３によって本体部１１に回動可能に取り付けられている。表示部１２は平板形状であり、一方の面が表示面１２１として様々な情報を表示し、他方の面が裏面１２２として情報が表示されない面である。表示部１２が第三の配置となることで、表示部１２の表示面１２１が保護されるとともに、表示部１２がコンパクトに収納される。
【００１５】
図３は、本発明の第１実施形態にかかる車両用記録装置１０の構成を示すブロック図である。車両用記録装置１０は、図２に示した表示部１２、カメラ１４および制御部１５に加えて、記憶部１６、回動位置検出部１７およびセンサ部１９を備える。
【００１６】
制御部１５は、各種データ処理を行う単数または複数のＣＰＵ（Central Processing Unit）、ＧＰＵ（Graphics Processing Unit）、バッファメモリ１５６などで構成される。制御部１５は、その機能により実現される構成として、撮影制御部１５１、表示制御部１５２、再生制御部１５３、イベント検出部１５４および電源制御部１５５を少なくとも備える。
【００１７】
記憶部１６は、車両用記録装置１０に内蔵された、または取外し可能な記録素子である。
【００１８】
撮影制御部１５１は、カメラ１４の動作を制御するとともにカメラ１４が撮影した映像データを取得し、バッファメモリ１５６を介して記憶部１６に記録させる撮影動作の制御を行う。再生制御部１５３は、記憶部１６に記録された映像データを読み出して再生する再生動作の制御を行う。表示制御部１５２は、車両用記録装置１０の設定に関する表示や撮影制御部１５１が記憶部１６に記録させた映像データを再生制御部１５３が再生したときに、映像データを表示部１２に表示させる。表示制御部１５２は、表示部１２の表示オン／オフも制御する。
【００１９】
バッファメモリ１５６は、制御部１５が備える内部メモリであり、撮影制御部１５１が取得した一定時間分の映像データを更新しながら記録する。
【００２０】
イベント検出部１５４は、センサ部１９から取得した情報に基づき、イベントが発生したか否かの判断を行い、イベントが発生した場合はその情報を撮影制御部１５１に出力する処理を行う。
【００２１】
撮影制御部１５１は、イベント検出部１５４からイベントを検出した情報を取得していないときは、カメラ１４が撮影した映像データをバッファメモリ１５６から記憶部１６に対して上書き可能に記録させる。このような撮影動作をループ記録動作と呼ぶ。撮影制御部１５１は、イベント検出部１５４からイベントを検出した情報を取得した場合は、イベント検出から所定時間前から所定時間後までの映像データをバッファメモリ１５６から上書き禁止として記憶部１６に記録させる。このような撮影動作をイベント記録動作と呼ぶ。
【００２２】
撮影制御部１５１は、イベント記録動作においては、例えばイベント検出から１０秒前の映像データをバッファメモリ１５６からイベント終了またはイベント検出から例えば１０秒後までの映像データを上書き禁止として記憶部１６へ記録させる。撮影制御部１５１は、ループ記録動作としては、記憶部１６に上書き可能な映像データの記録を行い、記憶部１６の上書き可能な記憶容量の上限に達したときは、上書き可能な映像データを消去しながら次の上書き可能な映像データを記憶部１６に記録させる。
【００２３】
電源制御部１５５は、車両用記録装置１０の電源オン／オフを制御する。電源オフとは待機状態を含む。
【００２４】
表示部１２は、液晶パネルや有機ＥＬパネル、投影画像のスクリーンなどである。カメラ１４は、可視光を受光して電気的データに変換する受光素子およびレンズ等から構成される。センサ部１９は、車両用記録装置１０に取り付けられる加速度センサやマイクロフォンなどであり、車両１または車両用記録装置１０に加わる加速度情報や音量情報などイベント検出に用いられる検出結果をイベント検出部１５４に出力する。
【００２５】
イベント検出部１５４は、少なくとも撮影制御部１５１が映像データを記録している期間中は常時、センサ部１９の検出結果を取得する。イベント検出部１５４は、センサ部１９から取得した加速度情報が所定の閾値を超える加速度である場合、または音量情報が所定の閾値を超える音量であるなどの条件を満たしたときは、車両１と他の物体との衝突、または車両１の利用者を巻き込むトラブルなどのイベントであると判断する。
【００２６】
イベント検出部１５４は、センサ部１９から取得した加速度情報に基づいてイベントの発生を検出する場合、所定の閾値を超える大きさの加速度であり、車両と他の物体との衝突に該当する大きさの加速度を検出した場合、イベントが発生したと判断する。イベント検出部１５４は、所定の閾値を超える大きさの加速度であり、車両と他の物体との衝突に該当する加速度の推移に基づきイベント発生と判断してもよい。また、イベント検出部１５４は、センサ部１９から取得した音量に基づいてイベントの発生を検出する場合、所定の閾値を超える音量であり、衝突音や叫び声などに該当する音量の音声を検出した場合、イベントが発生したと判断する。
【００２７】
回動位置検出部１７は、回動部１３に備えられており、本体部１１に対する表示部１２の回動位置を検出する。回動位置検出部１７は、例えば回動部１３の回転により変化する電気的接点の位置や電気抵抗値の変化により、表示部１２の回動位置を検出する。回動位置検出部１７は、本体部１１に対する表示部１２の回動位置を連続的に検出可能としてもよく、必要な回動位置のみ断続的に検出可能としてもよい。
【００２８】
図４は、本発明の第１実施形態にかかる車両用記録装置１０の状態例を模式的に示した図である。図２との差異は、表示部１２が表示面１２１を下方に向けた第一の配置となっている点である。
【００２９】
図４に示すように、表示部１２が第一の配置となることで、傾斜したウィンドシールド５００で反射して下方のダッシュボード４００や周辺の物体などがカメラ１４に映り込んでしまうことを抑制する。
【００３０】
図４の例として、表示部１２が第一の配置となっている状態は、表示部１２が表示面１２１を下方に向けた状態であり、表示部１２が水平または水平に近い状態で保持されることである。図４に示す第一の配置の場合、ウィンドシールド５００を介して車外から入射した外光が、表示部１２の裏面１２２に反射した場合も映り込みが発生する場合がある。これを抑制するために、表示部１２の裏面１２２は光吸収面であることが好ましい。例えば、表示部１２の裏面１２２は、艶消し黒で塗装されていたり、凹凸のある形状、または、光吸収部材が張り付けられていてもよい。
【００３１】
図５は、発明の第１実施形態にかかる車両用記録装置１０の状態例を模式的に示した図である。図２および図４との差異は、表示部１２が垂直または垂直に近い状態で保持された第二の配置となっている点である。第二の配置は、例えば車両１の運転者であるユーザが表示部１２の表示面１２１に表示された情報を適切に目視可能な角度の範囲であればよい。
【００３２】
図５に示すように、表示部１２が第二の配置となることで、表示面１２１がユーザに対向した配置となるため、表示部１２の表示面１２１に表示された情報の確認が容易となる。
【００３３】
次に、図６を用いて、表示部１２が第一の配置から第三の配置までの各配置となった場合の処理について説明する。
【００３４】
先ず、電源制御部１５５は任意の電源オントリガに基づき車両用記録装置１０が動作可能となるように電源オンとする（ステップＳ１１）。電源オントリガとは、例えば車両用記録装置１０が搭載されている車両１が動作を開始することで車両用記録装置１０に電力が供給されたことをトリガとする。
【００３５】
車両用記録装置１０の動作が可能となった場合、撮影制御部１５１は撮影動作を開始する開始する（ステップＳ１２）。車両用記録装置１０がドライブレコーダである場合は、車両１の動作開始時にユーザ等の操作が無くとも撮影動作を開始する必要があるためである。ステップＳ１２において開始される撮影動作は、所謂ループ記録と呼ばれる上書き可能な記録であり、図６には記載されていないが、車両用記録装置１０が撮影動作を行っている期間中は常時イベント検出が行われ、イベント検出時には所謂イベント記録として上書き禁止の記録が行われる。
【００３６】
ステップＳ１２の後またはステップＳ１２の処理と同時に、制御部１５は回動位置検出部１７の検出結果に基づき、表示部１２の位置が第三の配置であるか否かを判断する（ステップＳ１３）。ステップＳ１３において、第三の配置であると判断された場合（ステップＳ１３：Ｙｅｓ）、つまり第三の配置の状態で車両用記録装置１０の動作が開始された場合は、任意の電源オフトリガが発生したか否かを判断する（ステップＳ１４）。電源オフトリガとは、例えば例えば車両用記録装置１０が搭載されている車両１の動作終了であり、具体的にはエンジンがオフとなったことに基づく。
【００３７】
ステップＳ１４で、エンジンがオフとなっていない判断である場合（ステップＳ１４：Ｎｏ）、ステップＳ１３の判断を継続する。ステップＳ１４で、エンジンがオフとなったと判断された場合（ステップＳ１４：Ｙｅｓ）、電源制御部１５５は車両用記録装置１０の電源をオフとし（ステップＳ１５）、本処理を終了する。また、ステップＳ１４で、エンジンがオフとなったと判断されたときに、撮影動作、再生動作、表示動作などが行われている場合は、それらの動作を終了させて電源オフとする。
【００３８】
ステップＳ１３において、第三の配置ではないと判断された場合（ステップＳ１３：Ｎｏ）、つまり表示部１２が第一の配置または第二の配置である場合、表示制御部１５２は撮影制御部１５１が取得しているカメラ１４からの映像の表示を開始する（ステップＳ１６）。ステップＳ１６の処理は、撮影され記録中の映像が表示される、所謂ライブビュー表示またはスルー画像表示と呼ばれる処理である。
【００３９】
ステップＳ１３において、第三の配置ではなく第二の配置であると判断された場合、第二の配置における表示部１２の配置は、表示内容をユーザが確認容易な位置であるため、ライブビュー表示を開始する。ステップＳ１３において、第三の配置ではなく第一の配置であると判断された場合、第一の配置における表示部１２の配置は、表示内容をユーザが確認容易ではない位置でもあるため、ライブビュー表示は行わなくともよい。
【００４０】
ステップＳ１６の処理としてライブビュー表示が開始された後、制御部１５は、回動位置検出部１７による検出結果に基づき、表示部１２の配置が変更となったか否かを判断する（ステップＳ１７）。ステップＳ１７において、表示部１２の配置が変更となったと判断された場合（ステップＳ１７：Ｙｅｓ）、制御部１５は、回動位置検出部１７による検出結果に基づき、表示部１２の配置が第三の配置へ変更されたか否かを判断する（ステップＳ１８）。ステップＳ１７の判断が行われているときは、表示部１２の配置は第一の配置または第二の配置のいずれかである。このため、ステップＳ１８がＹｅｓの条件は、表示部１２の配置が第一の配置から第三の配置に変更された場合および第二の配置から第三の配置に変更された場合である。
【００４１】
ステップＳ１８において、第三の配置への変更が行われていないと判断された場合（ステップＳ１８：Ｎｏ）、ステップＳ１７の処理を継続する。ステップＳ１８において、第三の配置へ変更されたと判断された場合（ステップＳ１８：Ｙｅｓ）、ライブビュー表示を終了させる（ステップＳ１９）。ステップＳ１９の処理は、ステップＳ１８がＹｅｓの判断で、ライブビュー表示が行われている場合に、ライブビュー表示を終了させることとしてもよい。ステップＳ１９において、ライブビュー表示の終了後は、ステップＳ１４の処理に移行する。
【００４２】
ステップＳ１７において、表示部１２の配置が変更されていないと判断された場合（ステップＳ１７：Ｎｏ）、制御部１５は、再生開始されたか否かの判断を行う（ステップＳ２０）。再生開始されたか否かの判断は、例えばユーザによる再生を行うための操作の受付などの再生開始トリガが発生したか否かの判断である。
【００４３】
ステップＳ２０において、再生開始されていないと判断された場合（ステップＳ２０：Ｎｏ）、ステップＳ１７の処理を継続する。ステップＳ２０において、再生開始されたと判断された場合（ステップＳ２０：Ｙｅｓ）、ステップＳ１２で開始された撮影・記録処理を停止し、ステップＳ１６でライブビュー表示が開始されている場合はライブビュー表示を停止して、記憶部１６に記録されている映像データの再生を開始する（ステップＳ２１）。ステップＳ２１の処理で再生される映像データは任意の映像データでありユーザの選択操作によって選択される映像データであるが、例えば、直近のイベント記録データや、直前所定時間前からのループ記録された映像データとしてもよい。
【００４４】
ステップＳ１９において、映像データの再生開始後は、ステップＳ１４と同様に、エンジンオフなど任意の電源オフトリガが発生したか否かを判断する（ステップＳ２２）。ステップＳ２２においてエンジンオフなど任意の電源オフトリガが発生したと判断された場合（ステップＳ２２：Ｙｅｓ）、ステップＳ１５の処理に移行する。ステップＳ２２においてエンジンオフなど任意の電源オフトリガが発生していないと判断された場合（ステップＳ２２：Ｎｏ）、制御部１５は再生終了されたか否かを判断する（ステップＳ２３）。再生終了されたか否かの判断は、例えばユーザによる再生停止を行うための操作の受付や、再生対象の映像データの再生が最終位置までの再生を完了したかなどの再生終了トリガが発生したか否かの判断である。
【００４５】
ステップＳ２３において、再生終了していないと判断された場合（ステップＳ２３：Ｎｏ）、ステップＳ２２の処理を継続する。ステップＳ２３において、再生終了したと判断された場合（ステップ２３：Ｙｅｓ）、再生制御部１５３は映像データの再生動作を停止し、撮影制御部１５１による撮影動作を開始させる（ステップＳ２４）。ステップＳ２４の処理後は、ステップＳ１６の処理を行う。つまり、再生動作を終了させ、ステップＳ２１で停止した撮影動作を開始させるとともに、撮影中の映像のライブビュー表示を開始させる。
【００４６】
車両用記録装置１０における表示部１２の各々の配置状態で、上述したような処理を可能とすることで、車両用記録装置１０の動作中は撮影・記録を行いながら第一の配置をとることを可能とすることで、映り込みを抑制した高品質な映像データの記録を可能とする。
【００４７】
図６のフローチャートは、車両用記録装置１０がドライブレコーダである場合の処理であるために、第三の配置であっても撮影動作を行うこととした。図６に示した処理以外にも、各配置と処理とを対応付け、表示部１２の配置変更動作を行うことで、各種処理が実行されるようにしてもよい。
【００４８】
例えば、表示部１２が第三の配置であるときは、撮影動作を行わずに待機モードまたは車両用記録装置１０の電源がオフとなる状態となる。また、表示部１２が第二の配置であるときは、記憶部１６に記録された映像データの再生を行う再生動作を実行可能とし、表示部１２が第一の配置であるときは、撮影動作が実行される。
【００４９】
また、表示部１２が第一の配置となる条件として、第二の配置が例えば二秒以上などの所定時間以上維持されてから第一の配置となったときは、ループ記録を開始するとともにイベント検出によってイベント記録を行う記録動作とし、第三の配置から所定時間以内に第二の配置を経て第一の配置に変更された場合は、第二の配置となることによって動作する処理をスキップしてイベント記録としての記録動作が開始されるようにしてもよい。
【００５０】
また、表示部１２が第二の配置となる条件として、第三の配置から第二の配置となったときは、記憶部１６に記録されている任意の映像データの再生動作を可能とし、表示部１２が第一の配置から第二の配置となったときは、記憶部１６に記録されている直近の映像データの再生動作を行うこととしてもよい。表示部１２が第一の配置から第二の配置となったときは、直近のイベント記録として記録された映像データを再生することとしてもよい。
【００５１】
上記のような処理によって、表示部１２を回動させることで容易且つ迅速に車両用記録装置１０の動作を制御できるとともに、少なくとも第一の配置となっている状態で記録を行うことで、外光の入射による映り込みを抑制した記録を行うことができる。
【００５２】
図７は、本発明の第２実施形態にかかる車両用記録装置２０の状態例および構成を模式的に示した図である。第２実施形態にかかる車両用記録装置２０と第１実施形態にかかる車両用記録装置１０との差異は、取付部１８に、スライド部１８１が備えられている点である。スライド部１８１は、本体部１１の撮影向きを維持しながら本体部１１を紙面の左右である前後方向にスライド可能な部材である。
【００５３】
図７に示すように、第一の配置となっている状態において、スライド部１８１をスライドさせることで、表示部１２の前端部（紙面左方向の端部）を、ウィンドシールド５００により近接させることができる。表示部１２の前端部をウィンドシールド５００により近接させることで、表示部１２とウィンドシールド５００との間の隙間を少なくすることができ、ダッシュボード４００等からの反射光をさらに遮ることができる。このため、第一の配置となっている状態で表示部１２をウィンドシールド５００に近接させた状態で記録を行うことで、外光の入射による映り込みをさらに抑制することができる。
【００５４】
図８は、本発明の第３実施形態にかかる車両用記録装置３０の状態例および構成を模式的に示した図である。第３実施形態においては、スライド部１８１の有無は問わない。第３実施形態にかかる車両用記録装置３０と第１実施形態にかかる車両用記録装置１０との差異は、第一の配置となる表示部１２の角度が、カメラ１４の画角に合わせてカメラ１４の撮影範囲に入らない位置として設定されている点である。
【００５５】
図８に示すように、カメラ１４の縦方向の画角を画角Ｓとした場合、画角Ｓに表示部１２が入らない位置が第一の配置として定義される。この場合、回動部１３は表示部１２がカメラ１４の画角Ｓに入る位置まで回動しないように回動を制限してもよい。このため、第一の配置となっている状態で記録を行うことで、外光の入射による映り込みを抑制するとともに、表示部１２がカメラ１４の撮影範囲に入ってしまうことを防止することができる。また、第３実施形態においても第２実施形態と同様に取付部１８にスライド部１８１を備え、第一の配置となっている状態で表示部１２をウィンドシールド５００に近接させることで、外光の入射による映り込みをさらに抑制することができる。
【００５６】
図９から図１１は、本発明の第４実施形態にかかる車両用記録装置５０の車両１に対する設置例を模式的に示した図である。図９は車両用記録装置５０が第三の配置となっている状態を示している。図１０は車両用記録装置５０が第二の配置となっている状態を示している。図１１は車両用記録装置５０が第一の配置となっている状態を示している。本発明の第４実施形態にかかる車両用記録装置５０は、その構造が他の実施形態にかかる車両用記録装置と異なるが、図３に示す構成および図６に示す処理などは同一である。
【００５７】
第４実施形態にかかる車両用記録装置５０の構成は、他の実施形態にかかる車両用記録装置と実質同一である。第４実施形態にかかる車両用記録装置５０の本体部５１は他の実施形態にかかる車両用記録装置の本体部１１に該当し、側面から見た形状が縦長形状であることが異なる。表示部５２、表示面５２１および裏面５２２は表示部１２、表示面１２１および裏面１２２に該当する。カメラ５４、制御部５５および取付部５８は、カメラ１４、制御部１５および取付部１８に該当する。回動部５３は、回動部１８該当し、回動部５３はスライド部５８１により表示部５２をスライド可能である。
【００５８】
第三の配置と第二の配置との間の推移は、回動部５３で表示部５２を回動させる。第二の配置と第一の配置との間の推移は、回動部５３で表示部５２を回動させるとともに、スライド部５８１で表示部５２をスライドさせる。図示しないが、取付部５８には第２実施形態にかかる車両用記録装置２０同様にスライド部を設けてもよい。また、第３実施形態にかかる車両用記録装置３０同様に、カメラ５４の画角に表示部５２が入らない角度に第一の配置が設定されていてもよい。
【００５９】
このような構成とすることで、前後方向に薄く構成した車両用記録装置５０であっても、他の実施形態と同様の効果を得ることができる。
【００６０】
なお、本発明は上記実施形態に限られたものではなく、趣旨を逸脱しない範囲で適宜変更することが可能である。
【００６１】
例えば、第２実施形態において、スライド部１８１を追加することにより本体部１１を前後にスライドさせることで、表示部１２をウィンドシールド５００に近接させる構成としたが、表示部１２をウィンドシールド５００に近接させるための構成を本体部１１と回動部１３との間に設けても、同様の効果を得ることができる。
【００６２】
また、表示部１２が第二の配置となっている場合、タッチパネルとして機能する表示部１２のタッチ検出面の全面またはほぼ全面におけるタッチ検出が、撮影開始および映像データの記録開始を指示する検出面としてもよい。この場合、第二の配置の状態からタッチパネルとして機能している表示面１２１をユーザが押しながら第一の配置とすることで、タッチパネルへのタッチが検出され、撮影制御部１５１が記録を開始する第一の配置においては、表示部１２の情報表示有無に関わらず、タッチパネルの検出は継続してもよい。このような処理では、第一の配置となるように表示部１２を回動させる動作によって記録も開始させるため、ユーザの判断による記録動作をより適切に行うことが可能となる。
【００６３】
また、第一の配置においてウィンドシールド５００に近接する表示部１２の端部に、保護部材が備えられてもよい。保護部材は、車両１の走行等に基づく振動で表示部１２の端部がウィンドシールド５００に当たった場合であっても表示部１２および車両用記録装置１０の破損を防止または抑制できるような弾力性のある部材であることが好ましい。さらには、第一の配置において表示部１２の端面とウィンドシールド５００との間の隙間からの光の透過を防止または抑制する遮蔽部材を表示部１２の端部に備えていてもよい。遮蔽部材は、例えば黒色や光の透過が少ない柔軟性のある素材であることが好ましい。
【符号の説明】
【００６４】
１  車両
１０、２０、３０、５０  車両用記録装置
１１、５１  本体部
１２、５２  表示部
１２１、５２１  表示面
１２２、５２２  裏面
１３、５３  回動部
１４、５４  カメラ
１５、５５  制御部
１５１  撮影制御部
１５２  表示制御部
１５３  再生制御部
１５４  イベント検出部
１５５  電源制御部
１５６  バッファメモリ
１６  記憶部
１７  回動位置検出部
１８、５８  取付部
１８１、５８１  スライド部
１９  センサ部
３００  天井部
４００  ダッシュボード
５００  ウィンドシールド
【図１】
2018084950.tif 000003
【図２】
2018084950.tif 000004
【図３】
2018084950.tif 000005
【図４】
2018084950.tif 000006
【図５】
2018084950.tif 000007
【図６】
2018084950.tif 000008
【図７】
2018084950.tif 000009
【図８】
2018084950.tif 000010
【図９】
2018084950.tif 000011
【図１０】
2018084950.tif 000012
【図１１】
2018084950.tif 000013